(57)【要約】【課題】同一周波数干渉を回避しつつ、周波数資源を効率的に利用して、複数の移動局と基地局とが無線通信することである。【解決手段】複数のセルから構成される移動体無線通信システムにおいて、基地局と複数の移動局とが１つの搬送波を共有して無線通信を行う場合に、次のような通信を行う。即ち、移動局がセルの周辺領域にある場合には、ＣＤＭとＯＦＤＭとを組み合わせた方式を用い、さらに前記基地局と該基地局に隣接する基地局との協調伝送によりその移動局と通信を行う。【選択図】  図１
2018107535.tif 000002
【特許請求の範囲】
【請求項１】
複数のセルから構成される移動体無線通信システムにおいて動作し、前記複数のセルおのおのに配置され、複数の移動局との間で１つの搬送波を共有して無線通信を行う基地局であって、
前記基地局が配置されたセルに位置する移動局の位置を判断する判断手段と、
前記判断手段によって判断された移動局の位置が前記セルの中心領域にある場合には、ＯＦＤＭ方式を用いて前記移動局と通信を行う第１の通信手段と、
前記判断手段によって判断された移動局の位置が前記セルの周辺領域にある場合には、ＣＤＭとＯＦＤＭとを組み合わせた方式を用い、さらに前記基地局に隣接する基地局との間で協調伝送を実行しつつ前記移動局と通信を行う第２の通信手段とを有することを特徴とする基地局。
【請求項２】
前記判断手段により、前記移動局が通信を続行しながら前記セルの周辺領域から前記セルの中心領域へと移動していると判断された場合には、前記協調伝送を終了し、前記移動局との通信を前記第２の通信手段から前記第１の通信手段に切替える切替え手段をさらに有することを特徴とする請求項１に記載の基地局。
【請求項３】
前記判断手段と前記隣接する基地局との通信により、前記移動局が前記基地局が配置されたセルの外に移動したと判断された場合には、前記隣接する基地局からの協調伝送を終了するかどうかの指示に従って、前記移動局の通信を制御することを特徴とすることを特徴とする請求項１又は２に記載の基地局。
【請求項４】
前記第２の通信手段は、前記移動局から受信して復調した信号をセル識別逆拡散符号により逆拡散し、さらにユーザ識別逆拡散符号により逆拡散することでユーザ信号を得ることを特徴とする請求項１乃至３のいずれか１項に記載の基地局。
【請求項５】
複数のセルから構成される移動体無線通信システムにおいて動作し、前記複数のセルおのおのに配置された基地局との間で無線通信を行う移動局であって、
ユーザ識別拡散符号により送信信号を拡散する第１の拡散手段と、
前記第１の拡散手段により拡散された送信信号をさらにセル識別拡散符号により拡散する第２の拡散手段と、
前記移動局が通信を行う基地局が配置されたセルの中心領域にある場合は、ＯＦＤＭ方式を用いて前記基地局と通信を行う第１の通信手段と、
前記移動局の前記セルの周辺領域にある場合は、ＣＤＭとＯＦＤＭとを組み合わせた方式を用いて前記基地局と通信を行う第２の通信手段とを有することを特徴とする移動局。
【請求項６】
複数のセルから構成される移動体無線通信システムにおいて基地局と複数の移動局とが１つの搬送波を共有して無線通信を行う通信方法であって、
移動局が前記複数のセルのうちのいずれかのセルの周辺領域にある場合には、ＣＤＭとＯＦＤＭとを組み合わせた方式を用い、さらに前記基地局と該基地局に隣接する基地局との協調伝送により該移動局と通信を行うことを特徴とする通信方法。
【発明の詳細な説明】
【技術分野】
【０００１】
本発明は移動体無線通信システムにおける基地局、移動局、及び、通信方法に関し、特に、例えば、次世代の移動体無線通信システムにおける基地局と移動局との間の通信方法に関する。
【背景技術】
【０００２】
従来よりセル構成をとる移動体無線通信システムでは、基地局と移動局との間で様々な通信方式が提案され用いられてきた。例えば、第３世代の移動体無線通信システムに採用された通信方式であるＷ−ＣＤＭＡ／ＣＤＭＡ２０００は、符号分割によりユーザの識別を行い、ユーザ（移動局）間およびセル（基地局）間での同一周波数の干渉を回避を行い１周波数繰り返しを実現した。しかしながら、そのような通信方式を用いて高速伝送を行うには、１ユーザに複数のコードを割当てることが必要で受信側の信号処理に負荷がかかるこという課題があった。さらに、ユーザ（移動局）間の信号に直交性がないため、残留する雑音により多重化できる数が減少するという課題もあった。
【０００３】
これに対して、近年になり広範に用いられるようになった第４世代の移動体無線通信システム（ＬＴＥ：Ｌｏｎｇ  Ｔｅｒｍ  Ｅｖｏｌｕｔｉｏｎ）では直交周波数分割多重（ＯＦＤＭ）を適用し、ユーザ間の直交性を担保している。そして、ＯＦＤＭでは複数のサブキャリアを用いた並列伝送により高速伝送を実現している。また、ＬＴＥシステムでは同時に時間分割も行っている。さらに、ＬＴＥシステムでは、同一周波数帯域を異なるセルに配置し、セル構成上は１周波数繰り返しを行うようにしている。ちなみに、ＯＦＤＭでは、ユーザに割り当てる情報伝送の単位をリソースブロック（ＲＢ）と称している。
【０００４】
さて、ＬＴＥシステムにおける多重化方式は基本的には周波数分割であるため、隣接セルで同一ＲＢを利用すると干渉が発生するため、セル間の基地局の情報を授受するためにＸ２インタフェースを用いて干渉の軽減のためのリソースの適用の工夫を行っている。従って、ＬＴＥシステムでは、リソースの全体的な再配置が必要となり、制御が複雑となるのみならず、基本的に同一ＲＢを隣接セルで同時には利用できない。
【０００５】
このような課題を解決するために、従来よりＯＦＤＭにおけるセル間の干渉を回避するため、リユース・パーティション（ＲＰ）方式が提案されている。ＲＰ方式ではセル中央では各セル共通の周波数帯域を割当て、１周波数繰り返しを実現し、セル間の干渉領域（例えば、セルの周縁領域）では、異なる周波数帯域を割り当てるのである。
【０００６】
しかしながら、上記のようなＲＰ方式ではセル間の干渉は回避可能であるが、周波数帯域を分割するため分割損が発生するという別の課題が生じてしまう。
【０００７】
また、セル間の干渉を回避する方式として、非特許文献１で詳しく説明されているようにＯＦＤＭとＣＤＭ（符号分割多重）とを組み合わせたＯＦＣＤＭ（直交周波数・符号分割多重）が第４世代の移動体無線通信システムにおける通信方式として提案された。
【０００８】
ＯＦＣＤＭを採用した移動体無線通信システムは、通常、複数のセルから構成される。そして、各セルは、例えば、４つのセクタに分割され、各セクタに異なる周波数帯域が割当てられる。各セルが円形であれば、その中心領域のセクタには周波数帯域Ｆ１が割当てられ、周辺領域の３つのセクタにはそれぞれ、周波数帯域Ｆ１、Ｆ２、Ｆ３が割当てられる。このようにして各セルには同一の周波数帯域が割当てられるものの、隣接するセル間では用いられる周波数帯域が重ならないようにされるので、セル間の干渉を回避できるのである。
【先行技術文献】
【非特許文献】
【０００９】
【非特許文献１】「基地局連携セル間干渉低減技術とフラクショナル周波数繰り返し技術」、丸田一輝、太田厚、飯塚正孝、杉山隆利、ＮＴＴ技術ジャーナル  ２０１２年９月、７８〜８１ページ
【発明の概要】
【発明が解決しようとする課題】
【００１０】
しかしながら非特許文献１で提案されたＯＦＣＤＭはその通信方式を全てのチャネルに適用するので、高速伝送を行う場合にマルチコード化が必要となるという問題があった。また、帯域拡散するため、複数のユーザを同時に収容するためには拡散率を高めることが必要であり、逆に言えば、帯域が与えられると拡散前の信号伝送速度を下げることが必要であることも問題であった。結果として、第４世代の移動体無線通信システムには、拡散を行わないＯＦＤＭが採用された。
【００１１】
このため、特にセル境界で異なる移動局が同一周波数を用いると同一周波数干渉が発生してしまう。上述したように、同一周波数干渉を回避するために基地局間で直接制御を行うためにＸ２インタフェースが導入され、同一周波数の利用について電力制御や周波数選択を異ならせるなどの工夫をしている。しかしながら、トラフィックが増加するとその影響が連鎖していくことで周波数資源の利用率が低下する問題が依然として残されている。
【００１２】
加えて、３ＧＰＰ  Ｒｅｌ．１０以降のＬＴＥ−Ａｄｖａｎｃｅｄにおいて導入される技術に対応していくことも求められている。
【００１３】
本発明は上記従来例に鑑みてなされたもので、簡単な構成でありながら効率的に周波数資源を用いて周波数干渉を低減して通信を行うことが可能な基地局、移動局、及び、その通信方法を提供することを目的としている。
【課題を解決するための手段】
【００１４】
上記目的を達成するために本発明の基地局は、次のような構成からなる。
【００１５】
即ち、複数のセルから構成される移動体無線通信システムにおいて動作し、前記複数のセルおのおのに配置され、複数の移動局との間で１つの搬送波を共有して無線通信を行う基地局であって、前記基地局が配置されたセルに位置する移動局の位置を判断する判断手段と、前記判断手段によって判断された移動局の位置が前記セルの中心領域にある場合には、ＯＦＤＭ方式を用いて前記移動局と通信を行う第１の通信手段と、前記判断手段によって判断された移動局の位置が前記セルの周辺領域にある場合には、ＣＤＭとＯＦＤＭとを組み合わせた方式を用い、さらに前記基地局に隣接する基地局との間で協調伝送を実行しつつ前記移動局と通信を行う第２の通信手段とを有することを特徴とする。
【００１６】
また本発明を別の側面から見れば、複数のセルから構成される移動体無線通信システムにおいて動作し、前記複数のセルおのおのに配置された基地局との間で無線通信を行う移動局であって、ユーザ識別拡散符号により送信信号を拡散する第１の拡散手段と、前記第１の拡散手段により拡散された送信信号をさらにセル識別拡散符号により拡散する第２の拡散手段と、前記移動局が通信を行う基地局が配置されたセルの中心領域にある場合は、ＯＦＤＭ方式を用いて前記基地局と通信を行う第１の通信手段と、前記移動局の前記セルの周辺領域にある場合は、ＣＤＭとＯＦＤＭとを組み合わせた方式を用いて前記基地局と通信を行う第２の通信手段とを有することを特徴とする移動局を備える。
【００１７】
さらに本発明を別の側面から見れば、複数のセルから構成される移動体無線通信システムにおいて基地局と複数の移動局とが１つの搬送波を共有して無線通信を行う通信方法であって、移動局が前記複数のセルのうちのいずれかのセルの周辺領域にある場合には、ＣＤＭとＯＦＤＭとを組み合わせた方式を用い、さらに前記基地局と該基地局に隣接する基地局との協調伝送により該移動局と通信を行うことを特徴とする通信方法を備える。
【発明の効果】
【００１８】
従って本発明によれば、簡単な構成でありながら同一周波数の干渉を回避ことができるという効果がある。
【図面の簡単な説明】
【００１９】
【図１】本発明の代表的な実施例である移動体無線通信システムのセル構成を示す図である。
【図２】図１に示すシステムで実行する協調伝送について説明する図である。
【図３】図１に示したシステムを構成する基地局の送信構成を示すブロック図である。
【図４】信号生成器の詳細な構成を示すブロック図である。
【図５】図１に示したシステムを構成する基地局の受信構成を示すブロック図である。
【図６】図１に示したシステムを構成する移動局の送信構成を示すブロック図である。
【図７】図１に示したシステムを構成する移動局の受信構成を示すブロック図である。
【図８】セル内ハンドオーバと隣接基地局とのＣｏＭＰ実行制御の処理を示すフローチャートである。
【発明を実施するための形態】
【００２０】
以下添付図面を参照して本発明の好適な実施例について、さらに具体的かつ詳細に説明する。
【００２１】
図１は本発明の代表的な実施例である移動体無線通信システム（以下、システム）のセル構成を示す図である。このシステムは、３ＧＰＰのＲｅｌ．１０以降、即ち、ＬＴＥ−Ａｄｖａｎｃｅｄにも適用するために、協調伝送（ＣｏＭＰ：Coordinated Multi-Point Transmission）を採用している。
【００２２】
図１に示すシステムでは、７つのセル１００〜７００から構成され構成としている。各セルは六角形の形状で地理的領域が表わされ、各セルはＯＦＤＭを用いて基地局と移動局とは通信を行い中央領域（領域２）と、ＣＤＭとＯＦＤＭとを組み合わせたＯＦＣＤＭを用いて基地局と移動局とは通信を行う周辺領域（領域１）とに分割される。
【００２３】
そして、各セルの各領域は、図１に示すように６つのセクタに分割される。即ち、領域１はセクタ１Ａ〜１Ｆに、領域２はセクタ２Ａ〜２Ｆに分割される。中央領域の中心には基地局１０が配置される。このようなシステムにおいて、移動局８００はこれらセルのいずれかに位置し通信を行ったり、移動しながら通信を続けることができる。
【００２４】
このようにこの実施例のシステムでは、ＯＦＤＭをベースにしてセル間の干渉が発生する領域であるセルの周辺領域ではＣＤＭにより情報を拡散させる一方で、セルの中央領域では、ＯＦＤＭのみを用いて通信を行う。つまり、このシステムでは、周波数直交性を保存しつつ拡散するという特徴を備えたＯＦＤＭとＣＤＭの複合型多重化方式を提案している。
【００２５】
なお、図１には説明を簡単にするために１つの移動局８００を示すのみであるが、通常は複数の移動局が同時に無線通信を行うことは言うまでもない。従って、このシステムでは１つの基地局と複数の移動局とが１つの搬送波を共有して、同時に無線通信を行うことが可能である。
【００２６】
図１から分かるように、各セルの領域１の各セクタは、隣接するセルのセクタと向き合う構造となっている。これにより、干渉特性も改善され、このシステムで後述する協調伝送を行う際に、セクタ間で協調伝送を行い易くなる。
【００２７】
図２は図１に示すシステムで実行する協調伝送について説明する図である。図２において、（ａ）は３つの基地局による協調伝送の様子を示し、（ｂ）は２つの基地局による協調伝送の様子を示す。また、図２に示すセル構造は、図１で説明したものと同じなので、同じ参照番号を付し、その説明は省略する。図２において、各セルの境界に付されたＣＡ、ＣＢ、ＣＣはセル識別の符号を表わしている。
【００２８】
ＣｏＭＰでは、従来の３Ｇシステムにおけるソフトハンドオーバのように、１つの移動局に対して、２つ以上の基地局が同時に通信を行い、ダウンリンクでは複数の基地局が協調して送信を行い、アップリンクでは１つの移動局が複数の基地局に送信する（ダウンリンク結合送信処理）。複数の基地局は互いに通信しながら、複数の基地局で受信された信号を結合処理する（アップリンク結合受信処理）。このようにして、セル間の干渉を低減し、通信品質の向上を図る。特に、ＣｏＭＰは移動局がセル境界付近に位置する場合に有効な技術である。
【００２９】
ＣｏＭＰは、移動局が各セルの領域１に位置する場合に実行し、移動局が各セルの中心領域である領域２に位置している場合には実行せず、その中心領域にある基地局１つが移動局との信号送受信をＯＦＤＭを用いて実行する。
【００３０】
例えば、図２（ａ）に示すように、移動局８００がセル１００とセル２００とセル７００の境界付近に位置する場合に、セル１００とセル２００とセル７００それぞれの基地局が協調しながら、１つの移動局８００との間で信号の送受信を行う（３局結合）。また、図２（ｂ）に示すように、移動局８００がセル１００とセル２００の境界付近に位置する場合に、セル１００とセル２００それぞれの基地局が協調しながら、１つの移動局８００との間で信号の送受信を行う（２局結合）。
【００３１】
このように、この実施例に従うシステムでは、各セルの領域１と領域２の区別は、ＣｏＭＰ処理を行うかどうかによる。
【００３２】
なお、ＣｏＭＰ技術を実現するため、図１〜図２に示したシステムの各セルに設けられた基地局は互いにＸ２インタフェース又は光ファイバケーブルを用いて互いに通信することができる。
【００３３】
図３は、図１に示したシステムを構成する基地局の送信構成（ダウンリンク）を示すブロック図である。
【００３４】
図３に示すように、基地局１０は送信構成として２つの信号生成器２０、３０とこれら２つの信号生成器からの信号を合成する合成器４０と合成された信号を増幅する増幅器５０とその増幅された信号の周波数変換を行う周波数変換器６０とアンテナ７０を含む。さらに、信号生成器２０と信号生成器３０との間には制御パラメータ設定部３５が設けられ、移動局からの受信信号強度ＲＳＩや位置情報ＰＯＳに従って、信号生成器２０と信号生成器３０の切替えを行う。また、制御パラメータ設定部３５は移動局の位置やその無線環境に応じて２つの信号生成器２０、３０に対して非拡散、拡散及び変調パラメータなどの各種制御パラメータの指定を行う。
【００３５】
信号生成器２０は移動局がセルの周辺領域（領域１）に位置する際にＣＤＭとＯＦＤＭとを組み合わせたＯＦＣＤＭ方式に従ってユーザ信号を生成する。信号生成器２０を信号生成器３０と区別するためにＣＤＭ／ＯＦＤＭ信号生成器ということもある。これに対して、信号生成器３０は移動局がセルの中央領域（領域２）に位置する際に従来のＯＦＤＭ方式に従ってユーザ信号を生成する。信号生成器３０を信号生成器２０と区別するためにＯＦＤＭ信号生成器ということもある。
【００３６】
また、図２に示すように、移動局８００がセルの周辺領域に位置する場合には、ＣｏＭＰを行うため、基地局１０は隣接する基地局とＸ２インタフェース又は光ファイバケーブルを用いて通信を行うための通信インタフェース１５を備える。隣接する基地局との通信は位置情報ＰＯＳに基づいて、移動局８００がセルの周辺領域に位置することが判別された場合に実行する。図２（ａ）に示す例では、セル１００、２００、７００の３つの基地局が、図２（ｂ）に示す例では、セル１００、２００の２つの基地局がＸ２インタフェース又は光ファイバケーブルを用いて通信を行う。
【００３７】
図４は、信号生成器２０の詳細な構成を示すブロック図である。図４では説明を簡単にするために２つの送信信号ＴＸ１、ＴＸ２を多重化する例について図示している。
【００３８】
図４に示すように、送信信号ＴＸ１は拡散符号ＳＣ１により、そして、セクタ識別符号ＳＩにより周波数領域で拡散され、変調器（ＭＯＤ）２１により変調される。一方、送信信号ＴＸ２は拡散符号ＳＣ２により、そしてセクタ識別符号ＳＩにより周波数領域で拡散され、変調器（ＭＯＤ）２２により変調される。変調された２つの拡散信号は合成器２３により合成され、Ｓ／Ｐ変換器２４でシリアル／パラレル変換される。そして、パラレル信号になったユーザ信号は周波数マッパ２５により周波数マッピングされ、逆高速フーリエ変換器（ＩＦＦＴ）２６により周波数領域から時間領域へと変換されてＰ／Ｓ変換器２７によりユーザ信号は再びシリアル信号になる。そのＯＦＤＭ信号にはサイクリック・プレフィックス（ＣＰ）が挿入され、増幅器２９により利得が調整されて出力される。
【００３９】
なお、２つの送信信号はシステムが扱う全周波数帯域に拡散されても良いし、その一部分の帯域に拡散されても良い。一部の帯域に対して拡散される場合には、拡散されない帯域に対応してゼロパッドがＩＦＦＴ２６に入力される。
【００４０】
図５は、図１に示したシステムを構成する基地局の受信構成（アップリンク）を示すブロック図である。図５に示す例は、移動局がセルの周辺領域に位置していてＣＤＭとＯＦＤＭとを組み合わせたＯＦＣＤＭ信号である場合を示している。
【００４１】
基地局１０ではアンテナ７０により受信した移動局からのユーザ信号を周波数変換器６０で周波数変換し、増幅器８０により利得が調整された後、Ｓ／Ｐ変換器９０へと入力される。Ｓ／Ｐ変換器９０では移動局で挿入されたサイクリック・プレフィックス（ＣＰ）を除去し、受信したシリアル信号をパラレル信号へと変換する。そのパラレル信号は高速フーリエ変換器（ＦＦＴ）９１により時間領域から周波数領域へと変換される。
【００４２】
ＣＤＭ方式に従って拡散信号が生成された場合、周波数領域へと変換されたユーザ信号は拡散指定周波数選択部９２によりユーザ信号が拡散されている周波数帯域が選択されＰ／Ｓ変換器９３では再びユーザ信号はパラレル信号からシリアル信号へと変換される。そして、復調器（ＤＥＭＯＤ）９４で復調され、第１の逆拡散器９５でセル識別逆拡散符号ＣＩＳＣによりセル分離がなされ、さらに、第２の逆拡散器９６でユーザ識別逆拡散符号ＵＩＳＣによりユーザからの受信信号が得られる。また、アップリンクにおいてＣｏＭＰを用いる場合、他の基地局においても同じ移動局から送信されたユーザ信号を受信している。そのユーザ信号は、通信インタフェース１５がＸ２インタフェース又は光ファイバケーブルを介して他の基地局から受信し、合成器９７に入力される。合成器９７では通信インタフェース１５からのユーザ信号と第２の逆拡散器９６で得られたユーザ信号とを結合し、最終的なユーザからの受信信号ＲＸを得る。
【００４３】
なお、ＣＤＭ方式を適用せずＯＦＤＭ信号を受信する受信構成はＬＴＥシステムにおいて公知のアップリンクにおけるＳＣ−ＦＤＭＡ（ＤＦＴＳ−ＯＦＤＭ）伝送方式と同じなので、その説明は省略する。
【００４４】
図６は、図１に示したシステムを構成する移動局の送信構成（アップリンク）を示すブロック図である。
【００４５】
図６に示すように、移動局８００においてもＣＤＭとＯＦＤＭとを組み合わせたＯＦＣＤＭ方式に従ってユーザ信号を生成する場合には、送信信号ＴＸをユーザ識別拡散符号ＵＩＳＣにより第１の拡散器８０１で拡散する。さらに、セル識別拡散符号ＣＩＳＣにより第２の拡散器８０２で拡散し変調器ＭＯＤ８１０により変調する。ユーザ識別拡散符号ＵＩＳＣには、直交符号やアダマール符号が用いられ、セル識別拡散符号ＣＩＳＣにはＰＮ符号やＧｏｌｄ符号などのランダム化符号が用いられる。
【００４６】
そして、変調された送信信号はＳ／Ｐ変換器８２０においてシリアル信号からパラレル信号に変換され、周波数マッパ８３０において周波数マッピングされ、逆高速フーリエ変換器（ＩＦＦＴ）８４０で時間領域から周波数領域へと変換される。拡散信号が使用可能な帯域の一部だけに拡散されたものである場合には、その他の帯域にはゼロパッドがＩＦＦＴ８４０に入力される。
【００４７】
周波数領域へと変換された送信信号は再び、Ｐ／Ｓ変換器８５０においてパラレル信号からシリアル信号に変換され、そのＯＦＤＭ信号にはサイクリック・プレフィックス（ＣＰ）が挿入され、増幅器８６０により利得が調整されて出力される。そして、利得調整がなされた信号が周波数変換器８７０において周波数変換されアンテナ８８０から送信される。
【００４８】
なお、ＣＤＭ方式を適用せずＯＦＤＭ信号を生成する送信構成はＬＴＥシステムにおいて公知のアップリンクにおけるＳＣ−ＦＤＭＡ（ＤＦＴＳ−ＯＦＤＭ）伝送方式と同じなので、その説明は省略する。
【００４９】
図７は、図１に示したシステムを構成する移動局の受信構成（ダウンリンク）を示すブロック図である。
【００５０】
移動局８００ではアンテナ８８０により受信した基地局からのＣＤＭとＯＦＤＭとを組み合わせたＯＦＣＤＭ信号を周波数変換器８７０で周波数変換し、増幅器８９０により利得が調整された後、Ｓ／Ｐ変換器８９１へと入力される。Ｓ／Ｐ変換器８９１では移動局で挿入されたサイクリック・プレフィックス（ＣＰ）を除去し、受信したシリアル信号をパラレル信号へと変換する。そのパラレル信号は高速フーリエ変換器（ＦＦＴ）８９２により時間領域から周波数領域へと変換される。
【００５１】
周波数領域へと変換されたユーザ信号は拡散指定周波数選択部８９３によりユーザ信号が拡散されている周波数帯域が選択され、Ｐ／Ｓ変換器８９４では再びユーザ信号はパラレル信号からシリアル信号へと変換され、復調器（ＤＥＭＯＤ）８９５で復調される。最後に、セル識別逆拡散符号ＳＩとユーザ識別逆拡散符号ＩＳＣにより逆拡散され、ユーザからの受信信号ＲＸが得られる。
【００５２】
なお、ＣＤＭ方式を適用せず生成されたＯＦＤＭ信号を受信する構成はＬＴＥシステムにおいて公知のダウンリンクにおけるＯＦＤＭ伝送方式と同じなので、その説明は省略する。
【００５３】
次に、以上説明したような装置構成と通信方法を用いるシステムにおける、基地局と移動体の通信について説明する。
【００５４】
移動局８００が図１に示すように、例えば、セル７００の中心領域又は周辺領域で通信を開始し、その後、通信を続行しながら周辺領域又は中心領域に移動する場合には、次のフローチャートに示す処理に従って通信を行う。
【００５５】
図８は、この実施例に従うセル内ハンドオーバと隣接基地局とのＣｏＭＰ実行制御の処理を示すフローチャートである。
【００５６】
通信開始によりまず、ステップＳ１０では基地局１０は移動局８００の位置が周辺領域（領域１）にあるのか、又は中心領域（領域２）にあるのかを調べる。
【００５７】
ここで、移動局８００が中心領域（領域２）にあると判断された場合には処理はステップＳ２０に進み、ＯＦＤＭ信号生成器３０を用いて信号生成を行なって通信を行う。そして、ステップＳ３０では通信を終了するかどうかを調べる。ここで、通信を終了する場合には処理は終了するが、続行する場合には処理はステップＳ４０に進んで移動局８００の位置を調べる。ここで、移動局８００の位置が中心領域（領域２）にあると判断された場合には処理はステップＳ２０に戻って上述した処理を行う。これに対して、移動局８００の位置が周辺領域（領域１）にある、即ち、通信を続行しながら移動局８００が中心領域から周辺領域へと移動したと判断した場合には、処理はステップＳ５０に進む。
【００５８】
ステップＳ５０では、スイッチとしても機能する制御パラメータ設定部３５が動作させる信号生成器をＯＦＤＭ信号生成器３０からＣＤＭ／ＯＦＤＭ信号生成器２０へと切替え、その後、処理はステップＳ５５へと進む。このようにして領域２から領域１へのセル内ハンドオーバを実行する。
【００５９】
さて、ステップＳ１０において、移動局８００が周辺領域（領域１）にあると判断された場合には処理はステップＳ５５に進み、隣接基地局との間でＣｏＭＰを実行する。さらに、ステップＳ６０に進み、ＣＤＭ／ＯＦＤＭ信号生成器２０を用いて信号生成を行なって通信を行う。そして、ステップＳ７０では通信を終了するかどうかを調べる。ここで、通信を終了する場合には処理は終了するが、続行する場合には処理はステップＳ８０に進んで移動局８００の位置を調べる。
【００６０】
ここで、移動局８００の位置が周辺領域（領域１）にあると判断された場合には処理はステップＳ５５に戻って上述した処理を行う。これに対して、移動局８００の位置が中心領域（領域２）にある、即ち、通信を続行しながら移動局８００が周辺領域から中心領域へと移動したと判断した場合には、処理はステップＳ８５に進む。ステップＳ８５では、通信インタフェース１５を介して隣接基地局に対してＣｏＭＰ終了の指示を行う。
【００６１】
そして、ステップＳ９０では、スイッチとしても機能する制御パラメータ設定部３５が動作させる信号生成器をＣＤＭ／ＯＦＤＭ信号生成器２０からＯＦＤＭ信号生成器２０へと切替え、その後、処理はステップＳ２０へと進む。このようにして領域１から領域２へのセル内ハンドオーバを実行する。
【００６２】
また、ステップＳ８０において、移動局８００がセル外にあると判断された場合には、ステップＳ９５に進み、ＣｏＭＰを行なっている隣接基地局からＣｏＭＰ終了の指示があるかどうかを確認する。ここで、ＣｏＭＰ終了の指示を受信したならば、移動局８００との通信は終了するが、ＣｏＭＰ終了の指示を受信しないなら、処理はステップＳ５５に戻り、上述の処理を続行する。
【００６３】
従って以上説明した実施例に従えば、同一周波数の干渉が大きいセルの周辺領域でＣＤＭとＯＦＤＭとを組み合わせた方式で多重化を行い、さらに、隣接基地局との間でＣｏＭＰを用いながら自セル又は隣接セルの周辺領域に位置する移動局と通信できる。これにより、より一層、干渉を回避した通信が可能になる。
【００６４】
さらに、この実施例はＣｏＭＰを用いることが可能なので、３ＧＰＰ  Ｒｅｌ．１１以降のＬＴＥ−Ａｄｖａｎｃｅｄシステムにも適用可能である。
【符号の説明】
【００６５】
１０  基地局、２０  ＣＤＭ／ＯＦＤＭ信号生成器、２１〜２２  変調器、
２６  逆高速フーリエ変換器（ＩＦＦＴ）、３０  ＯＦＤＭ信号生成器、
７０  アンテナ、９１  高速フーリエ変換器（ＦＦＴ）、
１００〜７００  セル、８００  移動局
【図１】
2018107535.tif 000003
【図２】
2018107535.tif 000004
【図３】
2018107535.tif 000005
【図４】
2018107535.tif 000006
【図５】
2018107535.tif 000007
【図６】
2018107535.tif 000008
【図７】
2018107535.tif 000009
【図８】
2018107535.tif 000010